(57)【要約】 【課題】  基体を金属にて形成することにより、強度、耐薬品性および清掃性を向上し、また、金属の素材感に基づく剛性感および硬質感から高級感を得ることができ、さらに、装備品を、基体を湾曲させることなく確実に固定する。【解決手段】  本発明のミラーキャビネット２０は、湯水を供給する水栓１１と排水口１２ａが設けられた洗面ボール１２とを備える洗面カウンター１０と共に設置され、金属製の基体２１と、基体の前方に取り付けられる鏡２２を含む装備品と、基体２１の背面に配設されるブロック３３と、を備え、装備品は、基体２１の貫通孔を挿通してブロック３３に締結する締結部材によって基体に固定されることを特徴としている。【選択図】図３
2008136508.tif 000002
【特許請求の範囲】
【請求項１】
湯水を供給する水栓と排水口が設けられた洗面ボールとを備える洗面カウンターと共に設置されるミラーキャビネットであって、
金属製の基体と、
前記基体の前方に取り付けられる、鏡を含む装備品と、
前記基体の背面に配設されるブロックと、
を備え、
前記装備品は、前記基体の貫通孔を挿通して前記ブロックに締結する締結部材によって該基体に固定されることを特徴とする、ミラーキャビネット。
【請求項２】
前記装備品は、照明カバーを取り付けるためのＬ字形のステー、収納トレイフック、スイッチ、コンセント、照明受け桟、鏡受け桟、の群から選択される１または２以上の装備品を含むことを特徴とする、請求項１に記載のミラーキャビネット。
【請求項３】
前記基体の背面には、前記ブロックを所定位置に固定する裏補強板がさらに設けられていることを特徴とする、請求項１に記載のミラーキャビネット。
【請求項４】
前記ブロックは、貫通孔を有し、当該ミラーキャビネットは、該ブロックの貫通孔を挿通する締結部材によって壁面に固定されることを特徴とする、請求項１に記載のミラーキャビネット。
【請求項５】
前記ブロックを、前記基体と壁面との距離を維持するスペーサーとして機能させることを特徴とする、請求項４に記載のミラーキャビネット。
【請求項６】
前記基体は、対向する２辺を後方に向かって屈曲させ、コの字形に形成されることを特徴とする、請求項１に記載のミラーキャビネット。
【請求項７】
前記基体は、対向する２辺を後方に向かって２度屈曲させ、リップ溝形に形成されることを特徴とする、請求項１に記載のミラーキャビネット。
【請求項８】
前記基体は、ステンレス鋼にて形成されていることを特徴とする、請求項１に記載のミラーキャビネット。
【発明の詳細な説明】
【技術分野】
【０００１】
本発明は、洗面カウンターと共に設置されるミラーキャビネットに関するものである。
【背景技術】
【０００２】
従来から、浴室に隣接して設けられる脱衣所などには、洗面化粧台が設置されている。洗面化粧台は、大別すれば洗面カウンターとミラーキャビネットとから構成される。洗面カウンターは、基本要素として湯水を供給する水栓と、排水口が設けられた洗面ボールとを備えている。設置される際、水栓には給水管が接続され、排水口には排水管が接続される。また洗面カウンターの下部には、引き出しや開き戸などの収納部が設けられる場合が多い。洗面カウンターの正面には、事実上の必需品として鏡が配置されている。鏡は屋内の壁面に直接取り付けられている場合もあるが、照明や収納等を備えた基体に並置して取り付けられている場合が多い。本件出願では、鏡と基体とを含んだユニットをミラーキャビネットと称し、ミラーキャビネットと洗面カウンターとを含んだユニットを洗面化粧台と称することとする。
【０００３】
ミラーキャビネットの基体は、根本的には鏡の支持体である。しかし基体には、蛍光灯などの照明器具、これを操作するためのスイッチ、ドライヤーなどに電力供給するためのコンセントなどを設けている。また石けんや歯ブラシ、化粧品などを載置するための棚や収納部も設けられる。これらのことから、基体はある程度複雑な凹凸形状をなしている。従来の基体は主として合成樹脂材料からなり、特許文献１（特開平０５−１６１５５７）に記載されているように、真空成型にて製造されている場合が多い。
【特許文献１】特開平０５−１６１５５７号公報
【発明の開示】
【発明が解決しようとする課題】
【０００４】
合成樹脂材料を用いた基体は、軽量であること、及び比較的安価であるという利点はある。しかし樹脂材料は、経年劣化により変色が生じやすい。特に化粧品や整髪料などの化学薬品が浸食して部分的な変色を生じる場合があり、耐薬品性にも問題がある。また汚れが付着した場合に、樹脂材料は表面に微細な凹凸があるため拭き取りにくく、場合によっては汚れがついて変色してしまうおそれもある。さらに真空成型をするために肉薄になりがちであり、強度を向上させることが難しい。そのため収納部を形成するために棚などを取り付けることができず、立体的な構造物とする必要があり、視覚的に大仰感が増している。
【０００５】
そこで、本願発明者は、ミラーキャビネットを前面に支持する基体を金属にて形成することで、合成樹脂の場合に比して強度、耐薬品性、および清掃性（清掃容易性）を向上することが可能であることを見出した。また金属の素材感に基づく剛性感および硬質感から高級感を得ることもできる。
【０００６】
しかし、金属は強度が高いとはいえ、直接ネジをもみ込むとネジ穴周辺が盛り下がり、平坦でなくなって装備品の密着性が低下し、また微少なたわみであっても光の反射を通じてその部分が目立ってしまうため外観上も美観を損ねるおそれがある。また、加重が金属の基体にかかると、たわみや湾曲の原因にもなり得る。さらには、基体とネジとが異なる金属であった場合には、そのイオン化傾向の違いから電触（電位差腐食）も生じ得る。そこで、本願発明者は、基体への直接のネジ止めに代わる固定構造を見出し、本発明を完成するに至った。
【０００７】
本発明は、従来のミラーキャビネットが有する上記問題点に鑑みてなされたものであり、本発明の目的は、基体を金属にて形成することにより、強度、耐薬品性および清掃性を向上し、また、金属の素材感に基づく剛性感および硬質感から高級感を得ることができ、さらに、装備品を、基体を湾曲させることなく確実に固定することが可能な、新規かつ改良されたミラーキャビネットを提供することを目的としている。
【課題を解決するための手段】
【０００８】
上記課題を解決するために、本発明のある観点によれば、湯水を供給する水栓と排水口が設けられた洗面ボールとを備える洗面カウンターと共に設置されるミラーキャビネットであって、金属製の基体と、基体の前方に取り付けられる、鏡を含む装備品と、基体の背面に配設されるブロックと、を備え、装備品は、基体の貫通孔を挿通してブロックに締結する締結部材によって基体に固定されることを特徴とする、ミラーキャビネットが提供される。
【０００９】
上記構成によれば、基体を金属にて形成したことにより、合成樹脂の場合に比して強度、耐薬品性、および清掃性を向上し、また金属の素材感に基づく剛性感および硬質感から高級感を得ることができる。また、基体に貫通孔を設け、装備品を、基体背面に配設されるブロック（ネジ受け、桟）に締結部材で締結する構成により、基体に偏った押圧力がかからないので、たわんだり湾曲させたりすることなく、装備品を確実に固定することが可能となる。上記ブロックは金属以外の例えば樹脂で形成され、ネジは非金属の装備品を介して基体に取り付けられるので、ネジとの電触も生じ得ない。
【００１０】
装備品は、照明カバーを取り付けるためのＬ字形のステー、収納トレイフック、スイッチ、コンセント、照明受け桟、鏡受け桟、の群から選択される１または２以上の装備品を含んでもよい。当該ミラーキャビネットには、このような様々な装備品が装着される。本発明では、装備品毎にブロックを準備している。
【００１１】
基体の背面には、ブロックを所定位置に固定する裏補強板がさらに設けられてもよい。
【００１２】
ブロックが複数箇所にも及ぶ場合において装備品取付の度に位置合わせを行うと製造工程の時間効率が悪化し、位置決め精度も低くなる。また、基体背面の全面に渡ってブロックを形成すると、ブロックに要する厚み分だけ質量と材料費が必要になり、自重による安定感の欠如および高コスト化を招くこととなる。そこで、基体背面の全面に渡る裏補強板に所定厚みを有するブロックを数カ所付設することで、時間効率および位置決め精度の向上を図ることができる。
【００１３】
ブロックは、貫通孔を有し、当該ミラーキャビネットは、ブロックの貫通孔を挿通する締結部材によって壁面に固定されるとしてもよい。
【００１４】
かかる構成により、装備品を基体に固定するだけでなく、その背面の壁面に固定することが可能となり、当該ミラーキャビネットをさらに強固に設置することができる。
【００１５】
ブロックを、基体と壁面との距離を維持するスペーサーとして機能させてもよい。基体背面に適切に配されたブロックを、装備品と壁面とに締結部材を挿通するための貫通路としてのみでなく、基体と壁面との距離を維持するスペーサーとして機能させることで、圧力、張力およびずれ応力により基体がたわんだり湾曲したりするのを防止できる。
【００１６】
基体は、対向する２辺を後方に向かって屈曲させ、コの字形に形成されてもよい。かかる構成によれば、基体の背面側に配線のための空間を設けつつ、基体側面にも金属を露出させることができる。また屈曲加工により基体のたわみに対する剛性が向上するため、板材を用いたとしても鏡などの装備品（支持物）に対して十分な剛性を得ることができる。さらに、壁面との距離を維持するための別途のスペーサーが不要となるため、部材数の削減を図ることができる。また、かかる基体側面によって、裏補強板とブロックとからなる裏補強部を位置決めすることができ、より精度良くブロックを配置することができる。
【００１７】
基体は、対向する２辺を後方に向かって２度屈曲させ、リップ溝形に形成されてもよい。かかる構成によれば、基体のたわみに対する剛性をさらに向上させることができる。また壁面に当接する縁が屈曲させた角となるため、外観上の収まりがよい。さらに、リップ溝に裏補強部をスライド設置することができ、位置決め精度の向上および裏補強部の脱落防止が可能となる。
【００１８】
基体は、ステンレス鋼にて形成されていることが好ましい。これにより、特に耐薬品性、耐候性を向上させることができる。また素材感に基づく剛性感および硬質感においても、他の金属素材よりも程度の高い高級感を使用者に与えることができる。
【００１９】
基体の下端には、前方に突出して棚を構成する棚兼用端部部材が取り付けられていることが好ましい。これにより部材数を削減することができ、部品コストの低減および施工性の向上を図ることができる。
【００２０】
鏡は、基体の前方にヒンジを介して回動可能に取り付けられることが好ましい。また、鏡は基体の前方に突出するように設けられた桟に取り付けられており、鏡と基体との間に収納用の空間が形成されているとしてもよい。これにより鏡を蓋体の一部とする収納部を構成することができる。また鏡が三面鏡である場合には両側の２面を、ヒンジを介して回動可能とし、さらに中央の面もヒンジを介して回動可能に取り付けてもよい。
【００２１】
上記課題を解決するために、本発明のある観点によれば、上述したミラーキャビネットと、湯水を供給する水栓と、排水口が設けられた洗面ボールとを備える洗面カウンターと、を備えたことを特徴とする、洗面化粧台が提供される。
【００２２】
上記の如くミラーキャビネットの基体を金属にて形成することにより、強度、耐薬品性および清掃性を向上し、また金属の素材感に基づく剛性感および硬質感から高級感を得ることのできる洗面化粧台とすることができる。
【００２３】
上述した、ミラーキャビネットの技術的思想に基づく構成要素やその説明は、当該洗面化粧台にも適用可能である。
【発明の効果】
【００２４】
本発明によれば、基体を金属にて形成することにより、強度、耐薬品性および清掃性を向上し、また金属の素材感に基づく剛性感および硬質感から高級感を得ることができ、さらに、装備品を、基体を湾曲させることなく確実に固定することが可能となる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
［第１実施形態：一面鏡］
本発明にかかるミラーキャビネットの第１実施形態について説明する。本実施形態においてミラーキャビネットは、一面鏡の構成である。図１は第１実施形態にかかるミラーキャビネットを備える洗面化粧台の分解斜視図、図２は第１実施形態にかかる洗面化粧台の外観斜視図、図３は第１実施形態にかかるミラーキャビネットを背面から見た分解斜視図、図４は第１の実施形態にかかる装備品の取付構造を示した縦断面図、図５は第１の実施形態にかかるミラーキャビネット本体の取付構造を示した縦断面図である。なお、以下の実施例に示す寸法、材料、その他具体的な数値などは、発明の理解を容易とするための例示に過ぎず、特に断る場合を除き、本発明を限定するものではない。
【００２７】
図１および図２に示すように、洗面化粧台１は、洗面カウンター１０と、ミラーキャビネット２０とから構成されている。洗面カウンター１０は、湯水を供給する水栓１１と、排水口１２ａが設けられた洗面ボール１２とを備えている。また洗面ボール１２の下方には収納棚１３が設けられている。
【００２８】
ミラーキャビネット２０は、金属製の基体２１と、基体２１の前方に取り付けられた鏡２２とを備えている。基体２１は、両側辺を後方に向かって１度屈曲させたコの字形または２度屈曲させたリップ溝形（Ｃ形もしくはＣチャン形状ともいう）に形成される。本実施形態では後者（リップ溝形）の例を挙げて説明する。基体２１の背面、すなわちリップ溝形の内部には、基体２１の補強的役目を担う裏補強部３０が配置されている（図３参照）。このとき基体２１のコの字形またはリップ溝形の構造により、裏補強部３０を嵌合設置もしくはスライド設置でき、裏補強部３０の位置決め精度の向上および裏補強部３０の脱落防止が可能となる。
【００２９】
基体２１には、鏡２２の重量を支持するために縦方向にたわむ荷重がかかるが、上記のようにリップ溝形とすることにより、板材であっても十分な剛性（たわみにくい性質）を得ることができる。従って板材を曲げるだけといった単純な加工によって剛性の高い基体２１を形成することができ、かつ、製造工程の単純化および短縮化を図ることが可能となるので、生産性を向上させることができる。
【００３０】
基体２１は、ステンレス鋼、アルミニウム、鉄鋼などの材質で形成することができる。鉄鋼材料の場合は、防錆のために、また手垢などの汚れの付着を防止するために、塗装またはめっき処理などの表面処理をしてもよい。このように金属材料を用いたことにより、金属の素材感に基づく剛性感および硬質感から美観を向上し、高級感を得ることができる。
【００３１】
また金属材料は、樹脂材料に比して強度（破壊強度）が大きいため、立体的な構造をとらずとも後述する鏡２２や収納トレイ２８などの装備品を支持することができる。このことは基体２１を単純なフラット形状にできることに寄与しており、視覚的な大仰感を低減し、美観を向上させると共に、清掃性を向上させることができる。
【００３２】
基体２１の材質としては、上記の中でも特にステンレス鋼とするのが好ましい。これにより、特に耐薬品性、耐候性、剛性および強度を向上させることができる。またステンレス鋼は組織が緻密であることから、研磨することでより優れた美観を形成することができる。さらに社会通念上、使用者はステンレス鋼に対して剛性感および硬質感、耐久性などが優れていると認識していることが期待できるため、他の金属素材よりも程度の高い高級感を使用者に与えることができる。
【００３３】
基体２１の上端には、本体上キャップ２３が取り付けられる。本体上キャップ２３は、裏補強部３０の上端ブロック３２ａに締結固定される。基体２１の下端には、本体下キャップ２４が取り付けられている。本体下キャップ２４は、裏補強部３０の下端ブロック３２ｂに締結固定され、基体２１の下面を覆う蓋部２４ａと、前方に突出して棚を構成する棚部２４ｂとからなり、棚兼用端部部材を構成している。このように本体下キャップ２４が棚を兼ねていることにより、部材数を削減することができ、部品コストの低減および施工性の向上を図ることができる。
【００３４】
ここで、基体２１の両側辺に形成された屈曲部分と、上端ブロック３２ａおよび下端ブロック３２ｂとによって、基体２１と壁面との距離を維持し、基体２１の後方に空間を形成するスペーサーが構成される。この空間には、後述するように照明ユニット２５などに電気的な接続を行うための配線が設けられる。
【００３５】
基体２１の前面には、鏡２２が取り付けられている。本実施形態において洗面化粧台１は一面鏡であり、一枚の鏡２２が固定的に取り付けられている。鏡２２は上端及び下端に配置された鏡支持具２２ａと、場合により接着剤や両面テープを用いて取り付けられる。鏡支持具２２ａは鏡２２の上辺または下辺に嵌合される掛止部材であって、基体２１を介して裏補強部３０にネジ止めにより締結される。また鏡２２の背面には、曇り止めのためのヒーターユニット（図示せず）が配置されている。
【００３６】
基体２１の前面であって鏡２２の上方には、照明ユニット２５が取り付けられている。照明ユニットの両側には照明カバー２６を取り付けるためのＬ字形のステー２７が取り付けられている。ステー２７は基体２１を介して裏補強部３０に締結されており、ステー２７の起立した側面に照明カバー２６の側面が締結固定される。またステー２７および裏補強部３０には貫通穴が設けられており、この貫通穴を介して締結部材としての長ネジ１４を用いてミラーキャビネット２０を壁面に固定する。かかる固定構造に関しては後で詳述する。
【００３７】
基体２１の前面であって鏡２２の両脇には、複数の収納トレイ２８が取り付けられる。収納トレイ２８は、基体２１の表面に取り付けられたトレイフック２９に対して嵌合することにより、着脱可能となっている。トレイフック２９は前方側が幅広に形成されており、その側面に上下方向の溝を形成している。一方、収納トレイの取付部には溝と摺動嵌合するリブが形成されている。また、鏡２２の脇には、照明ユニット２５やヒーターユニットを操作するためのスイッチ３４、およびドライヤーなどに電力供給するためのコンセント３５が設けられている。
【００３８】
図３に示すように、基体２１の背面に配置された裏補強部３０は、基体２１の背面のほぼ全面に渡る面積を有した裏補強板３１と、裏補強板３１に取り付けられた複数のブロック３３とから構成されている。ブロック３３は、主に基体２１の前面に取り付けられる各種装備品を締結固定する際のネジ受けとして設けられている。従って、各ブロック３３の位置は、装備品の取付位置に合わせて配置される。
【００３９】
図３に示すようにブロック３３が複数箇所にも及ぶ場合において、装備品取付の度に位置合わせを行うと製造工程の時間効率が悪化し、位置決め精度も低くなる。また、基体背面の全面に渡ってブロックを形成すると、ブロックに要する厚み分だけ、質量と材料費が必要になり、自重による安定感の欠如および高コスト化を招くこととなる。そこで、基体背面の全面に渡る裏補強板３１に所定厚みを有するブロック３３を数カ所付設することで、時間効率および位置決め精度の向上を図ることができる。
【００４０】
ここで、装備品としては上述したように、鏡２２の他に、ステー２７、トレイフック２９、スイッチ３４、コンセント３５などが、基体２１を介して裏補強部３０に取り付けられる。例えば、図４を参照すると、基体２１には予めブロック３３が固定された裏補強板３１が付設される。そして、トレイフック２９を基体２１の所定位置に押圧した状態で、締結部材である取付ネジ２９ａによってトレイフック２９を固定する。このとき、基体２１には取付ネジ２９ａより径の大きい貫通孔２１ａが設けられているので、取付ネジ２９ａはブロック３３に直接締結される。このとき、ブロック３３には予め雌ネジが切られていてもよい。
【００４１】
このようにトレイフック２９を、ブロック３３に直接締結する構成により、基体に偏った押圧力がかからないので、たわんだり湾曲させたりすることなく、トレイフック２９を確実に固定することが可能となる。また、ブロック３３は樹脂で形成され、取付ネジ２９ａは非金属のトレイフック２９を介して基体に取り付けられるので、取付ネジ２９ａとの電触も生じ得ない。
【００４２】
また、照明カバー２６を取り付けるためのＬ字形のステー２７を基体２１に取り付ける場合、図５に示すように、基体２１には予めブロック３３が固定された裏補強板３１が付設される。ただし、図５においては、さらにブロック３３にも貫通孔３３ａが設けられている。従って、ステー２７は、２以上の取付穴が設けられ、取付ネジによってブロック３３に締結されると共に、長ネジ１４によって室内の壁面３６に直接締結され、ミラーキャビネット２０自体が壁面３６に固定される。かかる構成により、ミラーキャビネット２０をさらに強固に設置することができる。
【００４３】
また、図５におけるブロック３３は、基体２１の両側辺と同じ幅に形成され、基体２１と壁面３６との距離を維持するスペーサーとして機能させる。基体背面に適切に配されたブロック３３を、ステー２７と壁面３６とに長ネジ１４を挿通するための貫通路としてのみでなく、上述したようなスペーサーとして機能させることで、圧力、張力およびずれ応力により基体２１がたわんだり湾曲したりするのを防止できる。
【００４４】
また基体２１の後方、すなわちリップ溝形の内部には、照明ユニット２５、ヒーターユニット、およびスイッチ３４に対する配線がなされている。すなわち基体２１の形状がリップ溝形であることは、剛性の向上のみでなく、基体２１の背面側に配線のための空間を設ける役割をも有している。さらに、そのような空間を設けつつ、基体側面にも金属面を露出させることができる効果を有している。
【００４５】
上記説明した如く、本実施形態にかかるミラーキャビネットにおいては、基体２１を金属にて形成することにより、強度、耐薬品性および清掃性を向上し、また金属の素材感に基づく剛性感および硬質感から高級感を得ることができる。また基体２１の材質をステンレス鋼とすることにより、さらに顕著に上記の効果を得ることができる。また基体２１をリップ溝形としたことにより、板材であっても十分な剛性を得ることができ、背面側に配線のための空間を設けつつ、基体側面にも金属面を露出させることができる。
【００４６】
［第２実施形態：三面鏡］
本発明にかかるミラーキャビネットの第２実施形態について説明する。本実施形態においてミラーキャビネットは、三面鏡の構成である。図６は第２実施形態にかかるミラーキャビネットを備える洗面化粧台の分解斜視図、図７は第２実施形態にかかる洗面化粧台の外観斜視図、図８は第２の実施形態にかかる装備品の取付構造を示した縦断面図、９は第２の実施形態にかかるミラーキャビネット本体の取付構造を示した縦断面図、図１０は第２の実施形態にかかるミラーキャビネット本体の他の取付構造を示した縦断面図である。
【００４７】
図６に示すように、本実施形態にかかる洗面化粧台２のミラーキャビネット４０においては、基体２１の上端に本体上キャップ２３（図１参照）に代えて照明受け桟４２が取り付けられる。また基体２１の三面鏡４１の下端に対応する位置には、鏡受け桟４３が取り付けられる。照明受け桟４２および鏡受け桟４３の前面には複数のヒンジ４４が設けられており、これに三面鏡４１の各鏡を取り付けることで、鏡は回動可能になる。三面鏡４１の両側の袖鏡４１ｂ、４１ｃは中央の主鏡４１ａ側の端部においてヒンジ４４に接続される。従って、袖鏡４１ｂ、４１ｃは前面内側に回動し、使用者の側面を写す。さらに主鏡４１ａもヒンジ４４に接続されており、前面の一方に回動する。
【００４８】
照明受け桟４２および鏡受け桟４３は基体２１に対して前方に突出するように設けられており、これにより三面鏡４１と基体２１との間に収納用空間が形成されている。この収納用空間の側面には本体サイドカバー４５が取り付けられる。本体サイドカバー４５は基体２１に締結されるほか、照明受け桟４２および鏡受け桟４３の側面（端部）と嵌合する。これら照明受け桟４２、鏡受け桟４３、本体サイドカバー４５によって三面鏡４１を蓋体とする箱形構造が構成され、三面鏡４１の荷重に対してもゆがみや傾きが生じない頑強な構造体となる。
【００４９】
三面鏡４１と基体２１の間の収納用空間には、複数の収納トレイ２８が取り付けられる。収納トレイ２８は、基体２１の表面に取り付けられたトレイフック２９に嵌合することにより、着脱可能となっている。また複数の収納トレイ２８の中央にはサイズの大きな中央トレイ４７が取り付けられており、大きめの物も収納可能に構成されている。
【００５０】
照明受け桟４２の前面には照明ユニット２５が取り付けられ、また照明ユニット２５を覆うように照明カバー４６が着脱可能に取り付けられている。また照明ユニット２５は、基体２１を介して裏補強部３０に取り付けられる。例えば、図８を参照すると、基体２１には予めブロック３３が固定された裏補強板３１が付設される。そして、照明ユニット２５の照明受け桟４２を基体２１の所定位置に押圧した状態で、締結部材である取付ネジ２９ａによって照明受け桟４２を固定する。このとき、基体２１には取付ネジ２９ａより径の大きい貫通孔２１ａが設けられているので、取付ネジ２９ａはブロック３３に直接締結される。このとき、ブロック３３には予め雌ネジが切られていてもよい。
【００５１】
このように照明受け桟４２を、ブロック３３に直接締結する構成により、第１の実施形態同様、基体２１に偏った押圧力がかからないので、たわんだり湾曲させたりすることなく、照明ユニット２５を確実に固定することが可能となる。また、ブロック３３は樹脂で形成され、取付ネジ２９ａは非金属の照明受け桟４２を介して基体に取り付けられるので、取付ネジ２９ａとの電触も生じ得ない。
【００５２】
また、当該ミラーキャビネット４０を壁面３６に固定する場合、図９に示すように、基体２１には予めブロック３３が固定された裏補強板３１が付設され、さらにブロック３３にも貫通孔３３ａが設けられている。そして、長ネジ１４が直接、もしくはワッシャー１４ａを介して室内の壁面３６に直接締結され、ミラーキャビネット４０自体が壁面３６に固定される。かかる構成により、ミラーキャビネット４０をさらに強固に設置することができる。そして、長ネジ１４の露呈防止および美感向上のためのネジカバー１４ｂが長ネジ１４の頭に嵌合される。
【００５３】
また、図９におけるブロック３３は、基体２１の両側辺と同じ幅に形成され、基体２１と壁面３６との距離を維持するスペーサーとして機能させる。基体背面に適切に配されたブロック３３を、長ネジ１４を挿通するための貫通路としてのみでなく、上述したようなスペーサーとして機能させることで、圧力、張力およびずれ応力により基体２１がたわんだり湾曲したりするのを防止できる。
【００５４】
また、上述した照明ユニット２５の取付構造の他の例として、照明ユニット２５と壁面３６とを締結し、ミラーキャビネット４０を壁面３６に固定することもできる。
【００５５】
図１０を参照して詳述すると、基体２１には、貫通孔３３ａが設けられたブロック３３が裏補強板３１と共に付設される。そして、照明受け桟４２は長ネジ１４によって室内の壁面３６に直接締結され、ミラーキャビネット４０自体が壁面３６に固定される。かかる構成により、第１の実施形態同様、ミラーキャビネット４０をさらに強固に設置することができる。また、図１０におけるブロック３３は、基体２１の両側辺と同じ幅に形成され、基体２１と壁面３６との距離を維持するスペーサーとして機能させている。
【００５６】
図７に示すように洗面化粧台２を組み立てた状態においては、第１実施形態の構成に比して（図２参照）、基体２１の露出部分が少ない。しかし基体２１の側面は常に露出しており、また三面鏡４１を開いた際には収納用空間の壁面として大きく基体２１の表面が視認される。このとき鏡のガラスの質感と、基体２１の金属の素材感に基づく剛性感および硬質感から、美観の統一感が感じられるため、高級感を得ることができる。
【００５７】
また本実施形態においても、基体２１をリップ溝形にしたことによる剛性および生産性の向上、金属材料を用いたことによる強度向上、形状の単純化、清掃性の向上、さらにステンレス鋼を用いた場合の耐薬品性、耐候性、さらなる美観と強度の向上については、上記第一実施形態と同様である。
【００５８】
なお、上記第１実施形態においては鏡２２を直接固定的に基体２１に取り付けるよう説明した。しかし一面鏡であっても、第２実施形態に示した三面鏡４１のように照明受け桟４２や鏡受け桟４３を用いて基体２１から離隔させた状態で回動可能に取り付け、鏡２２の裏側に収納用空間を設けてもよい。
【００５９】
また上記各実施形態において、基体２１は後方に向かって２度屈曲させたリップ溝形として説明した。しかし本発明はこれに限定するものではなく、基体の対向する２辺を一度だけ後方に向かって屈曲させたコの字形としてもよい。また屈曲させる２辺は側辺でなくとも良く、上下辺であってもよい。さらに基体を金属の平板とし、４辺からなるスペーサーによって支持してもよい。これらのいずれの構成にあっても、基体を金属にて形成したことにより、合成樹脂の場合に比して強度、耐薬品性、および清掃性を向上し、また金属の素材感に基づく剛性感および硬質感から高級感を得ることができる。
【００６０】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６１】
本発明は、洗面カウンターと共に設置されるミラーキャビネットとして利用することができる。
【図面の簡単な説明】
【００６２】
【図１】第１実施形態にかかる洗面化粧台の分解斜視図である。
【図２】第１実施形態にかかる洗面化粧台の外観斜視図である。
【図３】第１実施形態にかかるミラーキャビネットを背面から見た分解斜視図である。
【図４】第１の実施形態にかかる装備品の取付構造を示した縦断面図である。
【図５】第１の実施形態にかかるミラーキャビネット本体の取付構造を示した縦断面図である。
【図６】第２実施形態にかかる洗面化粧台の分解斜視図である。
【図７】第２実施形態にかかる洗面化粧台の外観斜視図である。
【図８】第２の実施形態にかかる装備品の取付構造を示した縦断面図である。
【図９】第２の実施形態にかかるミラーキャビネット本体の取付構造を示した縦断面図である。
【図１０】第２の実施形態にかかるミラーキャビネット本体の他の取付構造を示した縦断面図である。
【符号の説明】
【００６３】
１、２  洗面化粧台
１０    洗面カウンター
１１    水栓
１２    洗面ボール
１２ａ  排水口
２０、４０  ミラーキャビネット
２１    基体
２２    鏡
２６、４６  照明カバー
２７    ステー
２９    トレイフック
３１    裏補強板
３２、３３  ブロック
３４    スイッチ
３５    コンセント
３６    壁面
４１    三面鏡
４２    照明受け桟
４３    鏡受け桟
【図１】
2008136508.tif 000003
【図２】
2008136508.tif 000004
【図３】
2008136508.tif 000005
【図４】
2008136508.tif 000006
【図５】
2008136508.tif 000007
【図６】
2008136508.tif 000008
【図７】
2008136508.tif 000009
【図８】
2008136508.tif 000010
【図９】
2008136508.tif 000011
【図１０】
2008136508.tif 000012